(57)【要約】【課題】  レール部材の無駄をなくすことで、引出しの配置変更が可能な構造を低コストで実現することができるキッチン用キャビネットを提供する。【解決手段】  キッチン用キャビネット１は、高さが基準高さＨの略１倍に設定された第１引出し４１と、高さが基準高さＨの略２倍に設定された第２引出し４２と、これらの引出し４１，４２を上下に並んだ状態で収納可能なユニット本体４３と、前記各引出し４１，４２を前後方向に移動可能に保持するレール部材４４ａとを有したユニット４を備えている。前記ユニット本体４３の両内側面には、前記レール部材４４ａを取り付けるためのネジ穴４５ａが、高さ方向で基準高さＨと略同一のピッチａで並ぶ位置に設けられている。【選択図】      図４
2007044172.tif 000002
【特許請求の範囲】
【請求項１】
高さが基準高さの略１倍に設定された第１引出しおよび高さが基準高さの略２倍または略３倍に設定された第２引出しと、前方に開口し、内部に前記各引出しを上下に並んだ状態で収納可能なユニット本体と、このユニット本体の両内側面に取り付けられて、前記各引出しを前後方向に移動可能に保持するレール部材とを有したユニットを備え、
前記ユニット本体の両内側面には、高さ方向で前記基準高さと略同一のピッチで並ぶ位置に、前記レール部材を取り付けるための取付穴が設けられていることを特徴とするキッチン用キャビネット。
【請求項２】
前記取付穴は、ユニット本体の両内側面に埋め込まれたナットのネジ穴であることを特徴とする請求項１に記載のキッチン用キャビネット。
【請求項３】
前記ユニットは、前記レール部材が着脱可能に嵌め込まれる取付金具をさらに有し、この取付金具は、前記取付穴を利用してネジ止めされることにより前記ユニット本体の両内側面に固定され、前記レール部材は、この取付金具を介してユニット本体の両内側面に取り付けられるように構成されていることを特徴とする請求項１または２に記載のキッチン用キャビネット。
【請求項４】
前記ユニットは、左右方向に複数並んで設けられており、これらのユニットの少なくとも２つは、幅寸法が略同一に設定されていることを特徴とする請求項１〜３のいずれか１項に記載のキッチン用キャビネット。
【発明の詳細な説明】
【技術分野】
【０００１】
本発明は、箱型のユニットを備えたキッチン用キャビネットに関するものである。
【背景技術】
【０００２】
従来、複数の箱型のユニットを横並び（並列）に配置することにより構成されたキッチン用キャビネットが知られている（例えば、特許文献１参照）。このキッチン用キャビネットでは、各ユニットの上にキッチンカウンターが載置され、このキッチンカウンターにシンクやコンロが設けられている。
【０００３】
このような従来のキッチン用キャビネットには、キャビネットを構成するユニットの１つとして、皿や鍋、調味料の容器などを収納するための引出しを上下に複数段備えた引出しユニットが設けられている。これらの引出しは、前方に開口するユニット本体の両内側面に設けたレール部材により、前後方向に移動可能に保持されている。
【特許文献１】特開平１１−２３０号公報
【発明の開示】
【発明が解決しようとする課題】
【０００４】
しかしながら、従来のキッチン用キャビネットにおける引出しユニットでは、ユーザーの要望に応じて引出しの大きさおよび配置位置が予め決定され、それに合わせてレール部材が取り付けられていたため、キッチン用キャビネットの設置後にユーザーが引出しのレイアウトを変更するのは困難であった。
【０００５】
そこで、本出願人は、設置後でもユーザーが使用状況に合わせて引出しのレイアウトを自由に変更することができるキッチン用キャビネットを提案した。このキッチン用キャビネットでは、図１１（ａ）および図１１（ｂ）に示すように、引出しユニット４０の引出し４１，４２の高さが基準高さの略整数倍（図例では、引出し４１が略１倍、引出し４２が略２倍）に設定されているとともに、レール部材４４ａが基準高さと略同一のピッチで設けられている。ここで、基準高さとは、引出しユニット４０における引出しの占有高さを、最小の高さの引出しのみで構成したときに決定される段数で割ったときの高さのことである。これにより、引出し４１，４２の上下の入れ替えが自由に行えるようになっている。
【０００６】
しかしながら、このようにレール部材４４ａが基準高さと略同一のピッチで設けられていると、引出し４１，４２をどのように入れ替えても容易に引出し４１，４２をレール部材４４ａに保持させることはできるが、図例のように高さの異なる引出しを組み合わせた場合には、全く使われないレール部材４４ａが存在するようになる。そのため、このようなレール部材４４ａの無駄をなくし、製造コストを安価に抑えたいという要望があった。
【０００７】
本発明は、このような事情に鑑み、レール部材の無駄をなくすことで、引出しの配置変更が可能な構造を低コストで実現することができるキッチン用キャビネットを提供することを目的とする。
【課題を解決するための手段】
【０００８】
前記課題を解決するために、本発明に係るキッチン用キャビネットは、高さが基準高さの略１倍に設定された第１引出しおよび高さが基準高さの略２倍または略３倍に設定された第２引出しと、前方に開口し、内部に前記各引出しを上下に並んだ状態で収納可能なユニット本体と、このユニット本体の両内側面に取り付けられて、前記各引出しを前後方向に移動可能に保持するレール部材とを有したユニットを備え、前記ユニット本体の両内側面には、高さ方向で前記基準高さと略同一のピッチで並ぶ位置に、前記レール部材を取り付けるための取付穴が設けられていることを特徴とするものである。
【０００９】
引出しの配置変更を何度でも行うことができるようにするために、前記取付穴は、ユニット本体の両内側面に埋め込まれたナットのネジ穴であることが好ましい。
【００１０】
レール部材の取付作業性を向上させるとともに、レール部材の交換または修理を容易に行うことができるようにするために、前記ユニットは、前記レール部材が着脱可能に嵌め込まれる取付金具をさらに有し、この取付金具は、前記取付穴を利用してネジ止めされることにより前記ユニット本体の両内側面に固定され、前記レール部材は、この取付金具を介してユニット本体の両内側面に取り付けられるように構成されていることが好ましい。
【００１１】
ユニット同士の間で引出しを自由に入れ替えることを可能とするために、前記ユニットは、左右方向に複数並んで設けられており、これらのユニットの少なくとも２つは、幅寸法が略同一に設定されていることが好ましい。
【発明の効果】
【００１２】
本発明によれば、レール部材を取り付けるための取付穴が、高さ方向で基準高さと略同一のピッチで並ぶ位置に設けられているので、ユーザーが簡単にレール部材の取付位置を変更することができ、このようにレール部材の取付位置を変更しても、第１引出しと第２引出しを上下に入れ替えれば、各引出しをレール部材で保持することができる。すなわち、ユーザーが第１引出しと第２引出しを上下に入れ替えようとしたときには、その引出しの配置に合わせた位置にレール部材を付け替えることにより、引出しの上下の入れ替えが可能となる。従って、基準高さと略同一のピッチでレール部材を設けた場合のような使用されないレール部材がなくなり、引出しの配置変更が可能な構造を低コストで実現することができる。
【発明を実施するための最良の形態】
【００１３】
以下、本発明を実施するための最良の形態について、図面を参照しながら詳細に説明する。
【００１４】
図１に示すように、本発明の一実施形態に係るキッチン用キャビネット１は、左右方向に並んで配置される複数の箱型のユニット２〜６と、これらのユニット２〜６の上に載置されるキッチンカウンター１１とを備えている。
【００１５】
前記キッチンカウンター１１は、平面視で略横長長方形状の形状となっており、右側位置にはシンク１２が設けられ、左側位置にはコンロ１３が設けられている。
【００１６】
前記ユニット２〜６は、シンク１２に対応する位置に配置されるシンクユニット２と、コンロ１３に対応する位置に配置されるコンロユニット３と、これらのユニット２，３の間に配置される２つの引出しユニット４，５と、コンロユニット３の左側に配置される幅狭の引出しユニット６とからなっている。
【００１７】
前記コンロユニット３の前面の上部には、コンロ１３のグリル扉や操作部などが設けられた前面を前方に露出させるための開口３ａが設けられており、この開口３ａにコンロ１３の前端部が嵌り込んでコンロ１３の前面が各ユニット２〜６の前面と略面一になっている。
【００１８】
前記各引出しユニット４〜６は、互いに幅寸法が異なるだけであって、それらの構造は全て同じであるので、代表として引出しユニット４について説明する。
【００１９】
引出しユニット４は、高さが基準高さＨの略１倍に設定された２つの第１引出し４１（引出しユニット５では５１、引出しユニット６では６１）と、高さが基準高さＨの略２倍に設定された１つの第２引出し４２（引出しユニット５では５２、引出しユニット６では６２）とを有しているとともに、前方に開口し、内部に前記各引出し４１，４２を上下に並んだ状態で収納可能なユニット本体４３（引出しユニット５では５３、引出しユニット６では６３）を有している。
【００２０】
ここで、基準高さＨとは、引出しユニット４における引出しの占有高さＨ’を、最小の高さの引出しのみで構成したときに決定される段数（本実施形態では４段）で割ったときの高さのことである。なお、本実施形態では、基準高さＨは、キッチンカウンター１１の下面からコンロ１３の下面までの高さと一致している。
【００２１】
前記ユニット本体４３は、図２（ａ）（ｂ）および図３に示すように、略縦長長方形状の２枚の側板４３ａと、これらの側板４３ａの後端部同士を下端部を僅かに残した状態で連結する背板４３ｂと、側板４３ａの下部同士を連結する底板４３ｃと、背板４３ｂと対向する向きで側板４３ａの前側上端部同士を連結する目隠し板４３ｄとを有している。すなわち、両側板４３ａの内側面、底板４３ｃの上面、および目隠し板４３ｄの下端面で前方に開口する開口が形成され、両側板４３ａの内側面、背板４３ｂの前面、および目隠し板４３ｄの後面で上方に開口する開口が形成されている。なお、上方に開口する開口は、キッチンカウンター１１で塞がれるようになっている。
【００２２】
また、底板４３ｃの下側には、底板４３ｃの前端部から少し後側に控えた位置に側板４３ａ同士の間を塞ぐ塞ぎ板４３ｅが設けられており、両側板４３ａの前側下端部は、底板４３ｃの下面および塞ぎ板４３ｅの前面に沿って切り取られている。
【００２３】
前記両側板４３ａの内側面には、前記各引出し４１，４２を前後方向に移動可能に保持する３段のレール部材４４ａが取り付けられている。
【００２４】
具体的には、図４および図５に示すように、両側板４３ａの内側面には、前後方向に３つ並ぶ下孔４３ｆが、高さ方向で基準高さＨと略同一のピッチａで並ぶ位置に４段で設けられており、これらの下孔４３ｆには、レール部材４４ａを固定するための皿ネジ４６が螺合可能なネジ穴４５ａを有する鬼目ナット４５が打ち込まれている。換言すると、両側板４３ａの内側面には、高さ方向で基準高さＨと略同一のピッチａで並ぶ位置に、レール部材４４ａを取り付けるためのネジ穴４５ａが４段で設けられている。
【００２５】
前記レール部材４４ａは、内側に開口する断面略Ｃ字状で前後方向に延在していて、前記ネジ穴４５ａに対応する位置には、前記皿ネジ４６の頭部が嵌り込み可能な皿穴４４ｃが設けられている。そして、レール部材４４ａは、１段目、２段目、および４段目のネジ穴４５ａを利用して皿ネジ４６により両側板４３ａの内側面にネジ止め固定されている。すなわち、１段目のレール部材４４ａと２段目のレール部材４４ａのピッチは、基準高さＨと略一致しており、２段目のレール部材４４ａと３段目のレール部材４４ａのピッチは、基準高さＨの２倍と略一致している。
【００２６】
前記第１引出し４１は、２枚の側板４１ｂ、背板４１ｃ、底板４１ｄ、および化粧板４１ａからなっており、化粧板４１ａの高さ寸法が前記基準高さＨの略１倍になっている。そして、両側板４１ｂの外側面に前記レール部材４４ａに係合する係合部材４４ｂが取り付けられている。
【００２７】
前記係合部材４４ｂは、レール部材４４ａに嵌り込み可能な断面形状（図示せず）で前後方向に延在している。このため、係合部材４４ｂがレール部材４４ａに嵌り込んで係合すると、第１引出し４１がレール部材４４ａに前後方向に移動可能に保持されるようになる。なお、詳細な構造についての説明は省略するが、第１引出し４１を引き出した状態で持ち上げれば、係合部材４４ｂとレール部材４４ａとの係合状態を解除できるようになっており、第１引出し４１はユニット本体４３に対して前方から着脱可能となっている。
【００２８】
前記第２引出し４２は、図示は省略するが、第１引出し４１と同様の構造となっており、高さ方向の寸法が異なるだけである。すなわち、第２引出し４２は、高さ寸法が基準高さＨの略２倍の化粧板４２ａを有しており、両側板の外側面には係合部材４４ｂが取り付けられている。ただし、第２引出し４２における化粧板４２ａの下端部から係合部材４４ｂまでの高さ寸法は、第１引出し４１における化粧板４１ａの下端部から係合部材４４ｂまでの高さ寸法と略同一に設定されている。また、第２引出し４２も、第１引出し４１と同様に、ユニット本体４３に対して前方から着脱可能となっている。
【００２９】
このように、本実施形態では、レール部材４４ａを取り付けるためのネジ穴４５ａが、高さ方向で基準高さＨと略同一のピッチａで並ぶ位置に４段で設けられているので、ユーザーが簡単にレール部材４４ａの取付位置を変更することができ、このようにレール部材４４ａの取付位置を変更しても、第１引出し４１と第２引出し４２を上下に入れ替えれば、各引出し４１，４２をレール部材４４ａで保持することができる。すなわち、ユーザーが第１引出し４１と第２引出し４２を上下に入れ替えようとしたときには、その引出しの配置に合わせた位置にレール部材４４ａを付け替えることにより、引出し４１，４２の上下の入れ替えが可能となる。
【００３０】
例えば、図２（ａ）（ｂ）に示すような第２引出し４２が最下段に配置された状態から、図６（ａ）（ｂ）に示すように、第２引出し４２を最上段に配置変更する場合には、１段目のレール部材４４ａを取り外した後に、３段目のネジ穴４５ａを利用して、当該レール部材４４ａが２段目となるように取り付ければよい。このようにすれば、１段目のレール部材４４ａで第２引出し４２を保持し、２段目および３段目のレール部材４４ａで第１引出し４１を保持することが可能になる。あるいは、図７（ａ）（ｂ）に示すように、第２引出し４２を中段に配置変更する場合には、２段目のレール部材４４ａを取り外した後に、３段目のネジ穴４５ａを利用して、当該レール部材４４ａを１段下がった位置に取り付ければよい。このようにすれば、２段目のレール部材４４ａで第２引出し４２を保持し、１段目および３段目のレール部材４４ａで第１引出し４１を保持することが可能になる。
【００３１】
前記シンクユニット２は、高さが基準高さＨの略１倍に設定された１つの第１引出し２１と、高さが基準高さＨの略２倍に設定された１つの第２引出し２２と、前方に開口し、内部に前記各引出し２１，２２を上下に並んだ状態で収納可能なユニット本体２３とを有している。
【００３２】
前記第１引出し２１、第２引出し２２、およびユニット本体２３の構造は、基本的には前記引出しユニット４の第１引出し４１、第２引出し４２、およびユニット本体４３の構造と同様であるが、ユニット本体２３の前面の上部には、基準高さＨと略同一の高さの固定板２５が取り付けられていて、シンク１２が存する高さ位置には引出しが配置できないようになっている。また、ユニット本体２３の両内側面には、図示は省略するがユニット本体４３と同様に、レール部材４４ａを取り付けるためのネジ穴４５ａが、高さ方向で基準高さＨと略同一のピッチａで並ぶ位置に３段で設けられており、１段目と３段目のネジ穴４５ａを利用して２段のレール部材４４ａが取り付けられている。
【００３３】
前記コンロユニット３は、高さが基準高さＨの略１倍に設定された１つの第１引出し３１と、高さが基準高さＨの略２倍に設定された１つの第２引出し３２と、前方に開口し、内部に前記各引出し３１，３２を上下に並んだ状態で収納可能なユニット本体３３とを有している。
【００３４】
前記第１引出し３１、第２引出し３２、およびユニット本体３３の構造も、基本的には前記引出しユニット４の第１引出し４１、第２引出し４２、およびユニット本体４３の構造と同様であるが、前述したように１つの第１引出し４１に代えてコンロ１３が配置されている。また、ユニット本体３３の両内側面には、図示は省略するがユニット本体４３と同様に、レール部材４４ａを取り付けるためのネジ穴４５ａが、高さ方向で基準高さＨと略同一のピッチａで並ぶ位置に３段で設けられており、１段目と３段目のネジ穴４５ａを利用して２段のレール部材４４ａが取り付けられている。
【００３５】
このような構成のキッチン用キャビネット１であれば、キッチン用キャビネット１を設置した当初は、図１に示すような引出しのレイアウトであっても、各ユニット２〜６のレール部材４４ａの取付位置を変更することにより、第１引出し２１〜６１および第２引出し２２〜６２を上下に入れ替えることが可能となり、これにより、ユーザーがキッチン用キャビネットの外観やデザインを変更することができる。例えば、図８（ａ）に示すように、各ユニット２〜６の第２引出し２２〜６２を中段に配置すれば、これらの第２引出し２２〜６２で構成される太いラインをキッチン用キャビネット１の真中に持ってくることができる。あるいは、図８（ｂ）（ｃ）に示すように、ユーザーがその時々の使い勝手に合わせて引出しの配置を変更することも可能である。
【００３６】
また、各ユニット２〜６の第１引出し２１〜６１のうちの１つの化粧板（引出しユニット４では化粧板４１ａ）を他の引出しの化粧板と異なる色にすることによって、例えば設置当初には１本のラインを呈するようにしておいて、その後に引出しの配置を変更することにより、キッチン用キャビネット１の模様パターンを変更することもできる。
【００３７】
そして、本実施形態では、レール部材４４ａを取り付けるためのネジ穴４５ａを、高さ方向で基準高さＨと略同一のピッチａで並ぶ位置に設けたから、基準高さＨと略同一のピッチでレール部材４４ａを設けた場合のような使用されないレール部材４４ａをなくすことができ、引出しの配置変更が可能な構造を低コストで実現することができる。
【００３８】
さらには、各引出しユニット４〜６は幅寸法が異なるだけであるので、各引出しユニット４〜６のユニット本体を構成する両側板（引出しユニット４では側板４３ａ）は、全てのユニット４〜６で共通化することができ、製造コストを低減することができる。
【００３９】
なお、前記実施形態では、レール部材４４ａを取り付けるための取付穴が鬼目ナット４５のネジ穴４５ａで構成されているが、この取付穴をタッピングネジ用の下孔として、タッピングネジでレール部材４４ａを両側板４３ａの内側面に取り付けることも可能である。ただし、前記実施形態のように取付穴がネジ穴４５ａで構成されていれば、皿ネジ４６を繰り返してネジ穴４５ａに螺合させることができ、引出しの配置変更を何度でも行うことができる。さらに、鬼目ナット４５を使用しなくても、他のナットを両側板４３ａに埋め込むことにより両側板４３ａの内側面にネジ穴を設けることも可能である。
【００４０】
また、前記実施形態では、各引出しユニット４〜６の幅寸法が異なる形態を示したが、例えば図９（ａ）に示すように、引出しユニット５の幅寸法が引出しユニット４の幅寸法と略同一に設定されていてもよい。
【００４１】
このようにすれば、引出しユニット４，５同士の間で、第１引出し４１，５１同士または第２引出し４２，５２同士を入れ替えることが可能であるし、あるいは、引出しユニット４のレール部材４４ａを引出しユニット５に付け替えることにより、図９（ｂ）に示すように、引出しユニット４の２つの第１引出し４１と引出しユニット５の１つの第２引出し５２とを入れ替えることも可能である。
【００４２】
さらには、各ユニット２〜６の第２引出し２２〜６２の高さは、基準高さＨの略３倍に設定されていてもよいし、第１引出し２１〜６１および第２引出し２２〜６２の数も適宜選定可能である。
【００４３】
また、図１０（ａ）（ｂ）に示すように、レール部材４４ａは、取付金具４７を介して両側板４３ａの内側面に取り付けられるように構成されていてもよい。この取付金具４７は、所定の形状の板金が折り曲げ形成されたものであり、前方から見たときに略Ｃ字状となっている。具体的には、取付金具４７は、両側板４３ａの内側面に面接触可能な矩形板状の基部４７ｄと、この基部４７ｄの下端部から略垂直に延び、レール部材４４ａを下方から支持する支持部４７ａと、基部４７ｄの上端部中央から略垂直に延びるとともに先端が下方に屈曲するフック４７ｃとを有している。また、支持部４７ａの先端部には、折り返し部４７ｂが形成されており、この折り返し部４７ｂがレール部材４４ａに基部４７ｄと反対側から係合するようになっている。
【００４４】
前記基部４７ｄには、前記実施形態で示した皿穴４４ｃと同様の皿穴（図示せず）が設けられており、この皿穴から前記ネジ穴４５ａに皿ネジ４６が螺合されることにより、基部４７ｄが両側板４３ａの内側面にネジ止め固定されるようになっている。
【００４５】
前記フック４７ｃと支持部４７ａの各々は、上下に弾性変形可能となっており、これらの間にレール部材４４ａがユニット本体４３の内側から押し込まれることにより、その間にレール部材４４ａが着脱可能に嵌め込まれるようになっている。
【００４６】
前記レール部材４４ａの上面には、前記フック４７ｃの先端と係合するフック穴４４ｄが設けられていて、レール部材４４ａがフック４７ｃと支持部４７ａの間に嵌め込まれた状態では、当該フック穴４４ｄにフック４７ｃの先端が係合してレール部材４４ａの前後方向の移動が規制されるようになっている。
【００４７】
このようにすれば、レール部材４４ａを両側板４３ａの内側面に取り付けるには、取付金具４７をネジ止めした後にレール部材４４ａを取付金具４７に嵌め込めばよいため、長尺状のレール部材４４ａを直接ネジ止めして取り付けるよりも作業性を向上させることができる。また、レール部材４４ａは、取付金具４７に着脱可能に嵌め込まれるので、レール部材４４ａをワンタッチで着脱することができ、交換または修理を容易に行うことができる。
【図面の簡単な説明】
【００４８】
【図１】本発明の一実施形態に係るキッチン用キャビネットの正面図である。
【図２】（ａ）は引出しユニットの正面図、（ｂ）はその側面図である。
【図３】図２（ａ）のＩ−Ｉ線断面図である。
【図４】ユニット本体の側板の側面図である。
【図５】ユニット本体のレール部材が取り付けられる部分の要部拡大断面図である。
【図６】（ａ）は第２引出しを最上段に配置したときの引出しユニットの正面図、（ｂ）はその側面図である。
【図７】（ａ）は第２引出しを中段に配置したときの引出しユニットの正面図、（ｂ）はその側面図である。
【図８】（ａ）〜（ｃ）は各ユニットの引出しの配置を変更したときのキッチン用キャビネットの正面図である。
【図９】（ａ）は変形例の実施形態に係るキッチン用キャビネットの正面図、（ｂ）は各ユニットの引出しの配置を変更したときのキッチン用キャビネットの正面図である。
【図１０】（ａ）は取付金具を介してレール部材を取り付けたときの斜視図、（ｂ）はその断面正面図である。
【図１１】（ａ）は従来のキッチン用キャビネットを構成するユニットの正面図、（ｂ）は本出願人が発明したユニットの側面図である。
【符号の説明】
【００４９】
１  キッチン用キャビネット
１１  キッチンカウンター
２    シンクユニット
２１，３１，４１，５１，６１  第１引出し
２２，３２，４２，５２，６２  第２引出し
２３，３３，４３，５３，６３  ユニット本体
３    コンロユニット
４〜６  引出しユニット
４３ａ  側板
４３ｆ  下孔
４４ａ  レール部材
４４ｂ  係合部材
４５  鬼目ナット
４５ａ  ネジ穴（取付穴）
４６  皿ネジ
４７  取付金具
【図１】
2007044172.tif 000003
【図２】
2007044172.tif 000004
【図３】
2007044172.tif 000005
【図４】
2007044172.tif 000006
【図５】
2007044172.tif 000007
【図６】
2007044172.tif 000008
【図７】
2007044172.tif 000009
【図８】
2007044172.tif 000010
【図９】
2007044172.tif 000011
【図１０】
2007044172.tif 000012
【図１１】
2007044172.tif 000013